(57)【特許請求の範囲】
【請求項１】
陳列棚等に設けられた取付部材に取付パーツを介して回動自在に取り付けられる表示本体の表示角度を調節自在にした表示用ホルダにおいて、前記表示本体の後方に設けられた案内溝に沿って上下方向に移動するスライドアダプタの上方に弾性支持片が突設されると共に該弾性支持片の端部が前記表示本体の背面に設けられた係止孔に係止され、前記スライドアダプタの後方に突出された角度調節片の下面に形成された複数の係止溝のうち任意の係止溝が前記取付パーツの上部の係止片に係止される構成を有し、前記弾性支持片の弾性力に抗して前記スライドアダプタを押し上げることによって前記弾性支持片の係止溝を前記取付パーツの係止片から解除すると共に所望の弾性支持片の係止溝を前記取付パーツの係止片に落とし込んで係止することにより、前記表示本体の表示角度を調節するようにしたことを特徴とする表示用ホルダ。
【請求項２】
前記スライドアダプタの上部に設けられた弾性支持片は該スライドアダプタの一体成形によって該スライドアダプタの上方へ彎曲状に突出する形状を有し、該弾性支持片の先端部に設けられた突出部が前記表示本体の背面に形成された係止孔に回動自在に嵌合することによって前記スライドアダプタの上下移動を弾性的に支持するようにしたことを特徴とする請求項１記載の表示用ホルダ。
【請求項３】
陳列棚等の取付部材として上下に折返片を有するレールが設けられている場合、該レールの上下の折返片に前記取付パーツに形成された上下の弾性取付片を係合するようにしたことを特徴とする請求項１又は２記載の表示用ホルダ。
【請求項４】
陳列棚等の取付部材として該陳列棚等の前端にプレートが立設されている場合、前記取付パーツの後部に弾性押圧片を備えたフックを設け、該フックを前記プレートに挿着して前記弾性押圧片で弾性的に支持することにより前記表示本体を取付けるようにしたことを特徴とする請求項１又は２記載の表示用ホルダ。
【請求項５】
陳列棚等の取付部材として該陳列棚等の前端に横棒が設けられている場合、該横棒に前記取付パーツの後部に形成されたフックを係合することにより前記表示本体を取付けるようにしたことを特徴とする請求項１又は２記載の表示用ホルダ。
【発明の詳細な説明】
【０００１】
【発明の属する技術分野】
本発明は、商店等に陳列された商品の価格表示等を行う表示用ホルダに係り、棚の高さに応じて表示角度を調節することを可能とした表示用ホルダに関するものである。
【０００２】
【従来の技術】
従来から商店等に陳列された商品の価格表示等を行うために、種々の表示用ホルダが用いられている。
【０００３】
また、最近になって、表示用ホルダに小型の液晶表示装置を組み込むことによって価格等の表示を容易に変えるようにしたものがある。
【０００４】
このような表示用ホルダにおいては、前方の表示面を買物客の視線方向に向ける必要があるが、棚の高さは様々であるため、表示用ホルダの角度調節を行うことができない場合、買物客が表示面を通常の姿勢で見ることができないという問題がある。
【０００５】
特に、液晶表示による表示用ホルダの場合は視認性が厳しく要求されるため、陳列棚の高さに応じて表示面の角度調節を行うことが要求される。
【０００６】
【発明が解決しようとする課題】
このような要求に応じた従来の表示用ホルダとしては、図１０に示すものがある。
【０００７】
この表示用ホルダ３１は、表示本体３２の背面に突設された弾性円弧形の角度調節片３３と、該表示本体３２の背面の左右両側に突設された保持片３４、３４に回動自在に枢設された取付パーツ３５とを有し、該取付パーツ３５は角度調節片３３を挿入する開口３６を備えた弾性板からなり、該取付パーツ３５の上下端部に形成された折曲片３７、３７によって棚等のレール３０に係止される。
【０００８】
また、角度調節片３３の面上に取付パーツ３５の開口３６の端部３６ａに係止される複数の凹部３８、３８…が形成され、取付パーツ３５の開口３６の端部３６ａをいずれかの凹部３８に係止することによって表示本体３２の表示角度を調整して固定状態にする。
【０００９】
ところで、この表示用ホルダの角度を調節する際、角度調節片３３の凹部３８と取付パーツ３５の開口３６の端部３６ａとの係止状態を解くために、表示本体をおさえて手の力で回動すると、その勢いで角度調節片３３の所望の凹部３８が取付パーツ３５の端部３６ａを乗り越えてしまい、角度調節の作業性が不安定になりがちであった。
【００１０】
本発明は上記の表示用ホルダを改良したもので、棚の高さに応じて表示角度を調節する際に、表示本体の角度調節を簡単かつ確実に行えるようにした表示用ホルダを提供することを目的とする。
【００１１】
【課題を解決するための手段】
上記の目的を達成するために、本発明の請求項１の表示用ホルダは、陳列棚等に設けられた取付部材に取付パーツを介して回動自在に取り付けられる表示本体の表示角度を調節自在にした表示用ホルダにおいて、前記表示本体の後方に設けられた案内溝に沿って上下方向に移動するスライドアダプタの上方に弾性支持片が突設されると共に該弾性支持片の端部が前記表示本体の背面に設けられた係止孔に係止され、前記スライドアダプタの後方に突出された角度調節片の下面に形成された複数の係止溝のうち任意の係止溝が前記取付パーツの上部の係止片に係止される構成を有し、前記弾性支持片の弾性力に抗して前記スライドアダプタを押し上げることによって前記弾性支持片の係止溝を前記取付パーツの係止片から解除すると共に所望の弾性支持片の係止溝を前記取付パーツの係止片に落とし込んで係止することにより、前記表示本体の表示角度を調節するようにしたことを特徴とする。
【００１２】
また、本発明における請求項２の表示用ホルダは、請求項１において、前記スライドアダプタの上部に設けられた弾性支持片は該スライドアダプタの一体成形によって該スライドアダプタの上方へ彎曲状に突出する形状を有し、該弾性支持片の先端部に設けられた突出部が前記表示本体の背面に形成された係止孔に回動自在に嵌合することによって前記スライドアダプタの上下移動を弾性的に支持するようにしたことを特徴とする。
【００１３】
また、本発明における請求項３の表示用ホルダは、請求項１又は２において、陳列棚等の取付部材として上下に折返片を有するレールが設けられている場合、該レールの上下の折返片に前記取付パーツに形成された上下の弾性取付片を係合するようにしたことを特徴とする。
【００１４】
また、本発明における請求項４の表示用ホルダは、請求項１又は２において、陳列棚等の取付部材として該陳列棚等の前端にプレートが立設されている場合、前記取付パーツの後部に弾性押圧片を備えたフックを設け、該フックを前記プレートに挿着して前記弾性押圧片で弾性的に支持することにより前記表示本体を取付けるようにしたことを特徴とする。
【００１５】
また、本発明における請求項５の表示用ホルダは、請求項１又は２において、陳列棚等の取付部材として該陳列棚等の前端に横棒が設けられている場合、該横棒に前記取付パーツの後部に形成されたフックを係合することにより前記表示本体を取付けるようにしたことを特徴とする。
【００１６】
【発明の実施の形態】
以下、本発明の実施例について図面を参照しながら説明する。
【００１７】
本発明による表示用ホルダは、図１に示すように、表示本体２の後方に設けられた案内溝３、３に沿って上下方向に移動するスライドアダプタ４の上方に弾性支持片５が突設されると共に弾性支持片５の端部（突出部６）が表示本体２の背面に設けられた係止孔７に係止され、スライドアダプタ４の後方に突出された角度調節片８の下面に形成された複数の係止溝９、９…のうち任意の係止溝９が取付パーツ１０の上部の係止片１１に係止される構成を有するものである。
【００１８】
このような構成についてより詳細に述べると、図３に示すように、取付パーツ１０の両端には支持片１２、１２が突出形成され、夫々の支持片１２、１２の外側には連結軸１３、１３が突設され、図１に示すように夫々の連結軸１３、１３が表示本体２の両側挟持片１４、１４の連結孔１５、１５に回動自在に係合されている。
【００１９】
表示本体２は、図２に示すように所定深さの収納部２ａを備えている。この表示本体２は、図４に示すような厚みを有する液晶表示装置４０等を収納する際に有用であり、収納部２ａの内側上下部に形成された突起２ｂ、２ｂによって、この収納部２ａに収納した液晶表示装置４０の上下の突起４１、４１を係止するようにしている。
【００２０】
さらに、図３に示すように、表示本体２の背面には所定間隔をあけてその両側に案内板１６、１６が形成され、両側の案内板１６、１６の間隔は平行に設けられると共に、その両内側に沿ってガイド溝３、３が形成され、これら両側のガイド溝３、３にスライドアダプタ４の両側に形成した段部１７、１７が摺動自在に嵌合され、これによってスライドアダプタ４を上下方向に移動することができる。
【００２１】
また、スライドアダプタ４の上部には弾性支持片５が設けられている。この弾性支持片５はスライドアダプタ４の一体成形によって該スライドアダプタ４の上部から彎曲状に突出する形状を有し、弾性支持片５の先端部に設けられた突出部６が表示本体２の背面に形成された係止孔７に回動自在に嵌合する構成とされている。
【００２２】
なお、スライドアダプタ４の下部は後方へ突出した押上げ凸部１８を備え、該押上げ凸部１８の下方に指を当てて押し上げることにより、スライドアダプタ４を弾性支持片５の弾性力に抗して押し上げることができる。
【００２３】
また、スライドアダプタ４の上部から後方に角度調節片８が突出形成されている。この角度調節片８は、図２の組立て状態で、表示本体２の両側に設けられた挟持片１４、１４の連結孔１５、１５を中心に円弧を描く彎曲状に形成され、その下面には複数の係止溝９、９…が周方向に形成されている。
【００２４】
上記の角度調節片８の夫々の係止溝９、９…は、取付パーツ１０の上部に設けられた係止片１１に係止されるものであり、弾性支持片５の弾性力に抗してスライドアダプタ４を押し上げることによって弾性支持片５の係止溝９を取付パーツ１０の係止片１１から解除することができる。この状態で表示本体２を所望の角度に調整し、スライドアダプタ４の押し上げをはなすと、弾性支持片５の弾性復帰力によって、図２に示すように、所望の弾性支持片５の係止溝９が取付パーツ１０の係止片１１に落とし込まれて係止されることにより、表示本体２の所望の表示角度を固定状態にすることができる。
【００２５】
なお、図２において、表示本体２の上部には前方に開口した隙間状の溝２ｃが形成され、不図示の表示プレートの下部折曲片を挿入して係止することにより固定状態に取り付けることができる。
【００２６】
本実施例において、取付パーツ１０の形状は該取付パーツ１０を取り付ける取付部材２０の種別或いは形状に応じて形成することができる。
【００２７】
即ち、図４、図５に示すように、陳列棚４０等の取付部材２０として上下に折返片２１ａ、２１ａを有するレール２１が設けられている場合、この取付パーツ２０の後方に彎曲を描きながら上下方向に突出したツメ２２、２２を有する上下の弾性取付片２３、２３を形成する。
【００２８】
そして、レール２１の折返し部２１ａ、２１ａに取付パーツ２０の上下のツメ２２、２２を係合すべく、上下の弾性取付片２３、２３を変形すると、その変形による弾性力によってレール２１にガタのない状態で取り付けることができる。
【００２９】
このようなレール２１においては、図４に示すように、陳列棚４０の前端にて上方に突出するレール形状、或いは図５に示すように、陳列棚４０の前端にて陳列棚４０の幅に納まるレール形状があり、そのいずれにも上下に折返片２１ａ、２１ａが形成され、夫々の折返片２１ａ、２１ａに取付パーツ１０の上下のツメ２２、２２を係合することによって上下の弾性取付片２３、２３に弾性変形を成し、その弾性力によってガタのない係合状態で取付けることができる。
【００３０】
また、図６または図７に示すように、陳列棚４０等の取付部材２０として該陳列棚等の前端にプレート２４が立設されている場合、取付パーツ１０の後部に下部から上方へ折り返された弾性押圧片２５と該弾性押圧片２５の後方へ隙間をあけて上部から下方へ折り返されたフック２６を設け、該フック２６をプレート２４に挿着して弾性押圧片２３で弾性的に支持することによって表示本体２を固定状態に取付けることができる。
【００３１】
さらに、図８または図９に示すように、陳列棚４０等の取付部材２０として該陳列棚４０等の前端に横棒２７が設けられた場合、該横棒２７に取付パーツ１０の後部から下方へ折曲されたフック２８を係合することによって表示本体２を取付けることができる。
【００３２】
なお、本実施例においては、表示本体２の収納部２ａに収納する部材として液晶表示装置を例にあげているが、他に、従来から一般的に使用されている回転リーフ式のプライサー本体を挿着するようにしてもよい。
【００３３】
【発明の効果】
以上説明したように、本発明の表示用ホルダによれば、陳列棚等に設けられた取付部材に取付パーツを介して回動自在に取り付けられた表示本体の表示角度を調整する際に、スライドアダプタを押し上げることによって取付パーツの係止片と弾性支持片の係止溝との係合を解除して、表示本体をフリーの状態で回動し、所望の表示角度に至ったときにスライドアダプタの押上げをはなすことによって所望の係止溝が取付パーツの係止片に落とし込まれて係止され、これによって表示本体を所望の角度に調節した固定状態にすることができる。
【００３４】
従って、本発明の表示本体によれば、従来のように表示本体を無理な力で回動するのではなくて、スライドアダプタを押上げる操作を行いさえすれば、容易に角度調節を行うことができ、表示用ホルダを取り付けた陳列棚等の高さに応じて、買物客の視線に適した表示角度にすることが可能となる。
【図面の簡単な説明】
【図１】本発明による実施例の表示用ホルダの後方斜め方向からの斜視図である。
【図２】図１のＡ−Ａ線断面図である。
【図３】本発明による実施例の表示用ホルダを後方斜め方向から見た分解斜視図である。
【図４】本発明による実施例の表示用ホルダを陳列棚用のレールに取り付けた状況を示す断面図である。
【図５】本発明による実施例の表示用ホルダを図４とは別種の陳列棚用のレールに取り付けた状況を示す断面図である。
【図６】本発明による表示用ホルダの後方斜視図であり、陳列棚に設けられたプレートに取り付ける場合のフック形状を示す図である。
【図７】図６の表示用ホルダを陳列棚用のプレートに取り付けた状況を示す断面図である。
【図８】本発明による表示用ホルダの後方斜視図であり、陳列棚に設けられた横棒に取り付ける場合のフック形状を示す図である。
【図９】図８の表示用ホルダを陳列棚用のプレートに取り付けた状況を示す断面図である。
【図１０】従来の表示用ホルダの断面図である。
【符号の説明】
１…表示用ホルダ
２…表示本体
３…案内溝
４…スライドアダプタ
５…弾性支持片
６…突出部
７…係止孔
８…角度調節片
９…係止溝
１０…取付パーツ
１１…係止片
１２…支持片
１３…連結軸
１４…挟持片
１５…連結孔
１６…案内板
１７…段部
１８…押上げ凸部
２０…取付部材
４０…液晶表示装置
【図１】
0003711451.tif 000002
【図２】
0003711451.tif 000003
【図３】
0003711451.tif 000004
【図４】
0003711451.tif 000005
【図５】
0003711451.tif 000006
【図６】
0003711451.tif 000007
【図７】
0003711451.tif 000008
【図８】
0003711451.tif 000009
【図９】
0003711451.tif 000010
【図１０】
0003711451.tif 000011